(57)【要約】本発明は、照明システムの形成のため照明装置を直線状および／または角度をなして機械的および電気的に接続するための連結部材に関する。連結器は、複数の辺ならびに各辺に位置する機械的接続手段（１８）および電気端部コネクタ（１６）を有する接続部本体（１１）を備えており、機械的接続手段（１８）および電気端部コネクタ（１６）が、接続すべき各照明装置（１９）の端部において、相補的である機械的（２３）および電気的（２１）な両要素と連結する。接続部本体は４つの辺を有し、これらの辺に沿って電気コネクタを前もってケーブル接続しておくことができる。
2005522849.tif 000002
【特許請求の範囲】
【請求項１】
照明装置を形成すべく複数の照明装置を直線状および／または角度をなして機械的および電気的に接続するための連結部材であって、
複数の辺を有する接続部本体（１１）、ならびに
本体の各辺に位置する機械的接続手段（１８）および電気端部コネクタ（１６）
を備えており、
前記機械的手段および前記電気コネクタが、各照明装置（１９）の端部に位置する相補的である機械的（２３）および電気的（２１）要素とそれぞれ連結することを特徴とする連結部材。
【請求項２】
前記接続部本体（１１）が、正方形の４つの辺（１２）、各辺（１２）のそれぞれに沿って配置および固定される１つの電気端部コネクタ（１６）、および、前記本体の各辺のそれぞれにおいて前記電気コネクタの両側に位置する少なくとも２つの穴を有している請求項１に記載の連結部材。
【請求項３】
前記接続部本体（１１）の複数の電気端部コネクタ（１６）が、前もって電気的に接続されている請求項１および２に記載の連結部材。
【請求項４】
当該連結部材のため、照明装置（１９）のそれぞれが、電気端部コネクタ（２１）および該電気コネクタ（２１）の両横に位置する少なくとも２つの穴（２２）を備える終端横板（２０）を呈しており、
前記接続部本体（１１）の一辺に位置する電気コネクタ（１６）が、照明装置の前記終端横板（２０）に位置する電気コネクタ（２１）と整列し、整列した該コネクタ（１６、２１）が中間電気コネクタ（２４）を通じて連結され、一方、
前記本体の一辺に位置する穴が、前記装置の終端横板の穴と一致して、連結器本体と前記電気装置の間の機械的固定のためのねじを収容する
前記請求項に記載の連結部材。
【請求項５】
複数の照明装置を直線状および／または角度をなして配置して備える照明システムであって、
そのような装置を、正方形の４つの辺（１２）、各辺（１２）に沿って配置および固定された電気端部コネクタ（１６）、および、本体の各辺において前記電気コネクタの両側に位置する少なくとも２つの穴を備え、かつ接続本体（１１）上の複数の電気端部コネクタ（１６）が前もって電気的に接続されている連結部材を介して、機械的および電気的に接続することが可能であり、
各照明装置が、終端横板（２０）および電気端部コネクタ（２１）、ならびに該電気コネクタ（２１）の両側にそれぞれ位置する少なくとも２つの穴（２２）を備えており、
接続辺の電気コネクタ（１６）が、照明装置の前記終端横板（２０）に位置する電気コネクタ（２１）と整列する一方で、整列した該コネクタ（１６、２１）が中間電気コネクタ（２４）を通じて連結され、
前記連結部材の一辺に位置する穴と前記照明装置の前記終端横板の穴が一致して、前記電気装置の機械的固定のためのねじを収容する
ことを特徴とする照明システム。
【発明の詳細な説明】
【技術分野】
【０００１】
本発明は、照明装置に関し、とくに、吊り下げ式照明システムを構成すべく設計された複数の照明装置を隣接させるための接続要素に関する。
【背景技術】
【０００２】
照明システムは、通常は、複数の照明装置を希望のコースに従って直線状、あるいは角度をなすように接続して製造される。照明体の連続性のため、接続は物理的すなわち機械的、および電気的の両者でなければならない。通常は、そのような接続のため、直線状の要素、角度を有する要素、Ｔ字型の要素などが使用される。したがって、所望に応じて異なる多数の接続要素を製造しなければならず、実現のためのコストおよびこの種の要素の管理の手間が増大し、所望の接続を実行する際の労力および不便が大である。
【発明の開示】
【発明が解決しようとする課題】
【０００３】
本発明の目的の１つは、公知の技法の欠点を解消することができる接続要素であって、そのような要素によって選択的に２つ、３つ、または４つの装置を機械的および電気的に接続することができる接続要素を提供することにある。
【０００４】
本発明の他の目的は、ニーズに応じて用いることができ、使用しない場合には隠しておくことができる４つの機械的および電気的接続システムを同数の辺に備えるモジュール式の接続要素を提供することにある。
【０００５】
本発明のさらなる目的は、照明装置の接続を、直線状であっても、角度をなしていても、特殊工具を用いる必要なく機械的固定のためのねじ回しのみを使用して、容易に行なうことができるようにする接続要素を提供することにある。
【課題を解決するための手段】
【０００６】
前記の目的およびそれらに伴う間接的な利益が、本発明に従って、照明システムを構成すべく複数の照明装置を直線状および／または角度をなして接続するための連結部材であって、ほぼ正方形の本体と、この本体の各辺に位置する機械的接続手段および電気端部コネクタを備えており、前記機械的手段および前記電気コネクタが、接続すべき各照明装置の端部に設けられた相補的な手段と接続している連結部材によって達成される。
【０００７】
連結部材は、直線上に配置された２つの照明装置の間に挿入されるように設計され、これら装置を連結する機械的手段および電気コネクタの通路を備えるフィレット状の本体を有していてもよい
【０００８】
本発明のさらなる詳細が、添付の図面を参照して行なう以下の説明によって明らかにされる。これら図面は説明のためのものであり、本発明をこれらに制限するものではない。
【発明を実施するための最良の形態】
【０００９】
図１に示すとおり、接続連結器は、正方形の４辺１２を基部１３から突き出して備える接続器本体１１を有しており、必ずしもではないが、接続器本体１１の中央には開口１４が設けられている。
【００１０】
前記本体の各辺１２に沿って凹所１５が設けられ、この凹所１５内に電気端部コネクタ１６が、側方向きにアクセス可能に露出され、配置および拘束されている。これら本体１１の各辺１２の電気コネクタ１６は、当初より前もってケーブル接続されており、すなわち、お互いがニーズに応じて電気ケーブル１７で接続されている。
【００１１】
本体１１の各辺１２上、かつ電気端部コネクタ１６を収容している凹所１５の両側には、少なくとも２つの穴が、同数の固定ねじ１８の通過を可能にすべく設けられている。
【００１２】
上記の接続連結器によって他の照明装置と接続される各照明装置１９には、端部にそれぞれ終端横板２０が設けられており、この終端横板２０が、連結器の本体１１に位置しているものと同様の電気コネクタ２１を支持するとともに、この電気コネクタ２１の両側に位置する少なくとも２つの穴２２を有している。
【００１３】
図示のとおり、電気コネクタ２１が照明装置１９の前面に位置し、本体１１の対面する一辺１２の電気コネクタ１６と整列している。同様に、終端横板２０の穴２２も、本体１１の同じ辺１２に位置する穴と一致している。
【００１４】
したがって、接続部本体１１を使用し、ニーズに従って、すなわち製造しようとする照明システムのコースに従って、２つ、３つ、または４つの照明装置１９を同様のやり方で直線状に、または角度をなして、あるいはＴ字に、さらには十字に接続することができる。
【００１５】
電気的接続のため、対面している端部コネクタ１６、２１が、相補的である中間電気コネクタ２４を通じて連結されなければならない。次いで、ねじ１８が、本体１１および照明装置１９の隣接する両辺の一致する穴２２へと挿し込まれ、図示の例では照明装置の終端横板内に位置している対応するナット２５によってねじ止めされて、機械的な固定が行なわれる。
【００１６】
図２および３の変形例においては、連結器本体が、直線上にある２つの照明装置１９の間に介装されるフィレット２６の形態で示されており、照明装置１９はそれぞれ、前述のとおり、電気端部コネクタ２１および少なくとも２つの穴２２を有する終端横板２０を備えている。この構成においては、フィレットが、装置を互いに固定するねじ１８のための穴２７をいくつか有し、中間電気コネクタ２４が通過する凹部を有している。フィレットに吊り下げケーブル２８を取り付けることも可能である。
【図面の簡単な説明】
【００１７】
【図１】接続連結器の平面図を示しており、接続連結器の周囲には、機械的および電気的接続の両者が可能な照明装置が示されている。
【図２】２つの装置のみを直線状に機械的および電気的に接続するよう設計された連結器の一変形例について、やはり平面図を示している。
【図３】図２の連結部材の側面断面拡大図を示している。
【図４】照明装置の一例を下方から見た図である。
【図５】接続される他の種類の装置である。
【図１】
2005522849.tif 000003
【図２】
2005522849.tif 000004
【図３】
2005522849.tif 000005
【図４】
2005522849.tif 000006
【図５】
2005522849.tif 000007
【国際調査報告】
2005522849.tif 000008
2005522849.tif 000009